(57)【特許請求の範囲】
【請求項１】
光源を点灯する回路基板を内蔵し、底面が天井材の裏面と対面するように設置される点灯装置において、
前記点灯装置は、
略四角形とする直方体部と、
前記直方体部から延長されて突出し、前記直方体部の天面から突出するに従って前記底面方向に傾斜する傾斜天面、前記直方体部の側面から突出するに従って中央方向に狭まる傾斜側面、からなる突出部と、
前記突出部と対向する前記直方体部の面に配置される電源端子台と、
前記電源端子台の近傍に設けられ前記天井材の裏面に接する第１の脚部と、
前記突出部の近傍に設けられ、前記天井材に設置されるとき、前記第１の脚部とともに前記天井材の裏面に接し、前記点灯装置の底面を前記天井材から浮かす第２の脚部と、
を備えることを特徴とする点灯装置。
【請求項２】
請求項１に記載の点灯装置と、
前記点灯装置から電力が供給される光源を有する灯部と、
前記点灯装置と前記灯部とを接続する接続具と、
を備えることを特徴とする埋込型照明機器。
【発明の詳細な説明】
【技術分野】
【０００１】
本発明は、埋込型照明機器の点灯装置の構造に関するものである。
【背景技術】
【０００２】
光源を点灯する点灯装置の外形が多角形形状を成す技術がある（例えば、特許文献１、特許文献２参照。）。
【０００３】
【特許文献１】特開平１０−２７５５１４号公報（段落「００５４」〜「００５９」、図２０）
【特許文献２】特開２００６−３３１８５７号公報（段落「００３６」、図１）
【発明の開示】
【発明が解決しようとする課題】
【０００４】
しかしながら、照明器具灯具と点灯装置を一体とした照明器具では、点灯装置を天井埋め込み穴に挿入して、照明器具を取り付けるとき、天井材と構造物の空間（距離）を広くすることが求められていた。
【０００５】
また、点灯装置の外形寸法を小さくすると、点灯装置内に内蔵される回路基板の面積が小さくなり、電子部品が密集するといった課題があった。
【０００６】
本発明は、例えば、天井材と構造物との空間（距離）が狭い場合であっても、点灯装置を容易に天井埋込穴に挿入できる構造とするとともに、内蔵される回路基板の面積を大きくすることを目的とする。
【課題を解決するための手段】
【０００７】
本発明に係る点灯装置は、天井材の裏面に設置されるものであって、底面を略四角形とする直方体部と、前記直方体部から延長されて突出し、前記直方体部の天面から底面に向かって傾斜する傾斜天面、前記直方体部の側面から突出するに従って中央方向に狭まる傾斜側面、からなる突出部と、前記突出部と対向する前記直方体部の面に配置される電源端子台と、前記突出部の近傍に設けられる第１の脚部と、前記電源端子台の近傍に設けられ、前記天井材に設置されるとき、前記第１の脚部とともに前記点灯装置の底面を前記天井材から浮かす第２の脚部と、を備えることを特徴とする。
【発明の効果】
【０００８】
本発明によれば、天井材と構造物との空間（距離）が狭い場合であっても、容易に取り付けることができるとともに、内蔵される回路基板の面積を大きくすることができる。
【発明を実施するための最良の形態】
【０００９】
実施の形態１．
図１は、本実施の形態の照明器具を示す斜視図であり、図２は、図１の照明器具の分解斜視図であり、図３は、点灯装置の側面図である。
【００１０】
照明器具１は、灯具２と、点灯装置３と、灯具２と点灯装置３とを接続する接続具４とを備える。
【００１１】
灯具２は、略円筒形状をなし内部に光源５（図示しない。）を内蔵する灯具本体６と、取付バネ７と、内蔵される光源５が点灯する際に発熱する熱を外気に放熱する放熱フィン８を備えている。
【００１２】
点灯装置３は、点灯装置ケース本体９と、点灯装置ケース本体９に取り付けられる回路基板１０（点灯回路）と、直方体部１１と突出部１２からなり、回路基板１０を覆うように点灯装置ケース本体９に取り付けられる点灯装置ケースカバー１３と、点灯装置ケース本体９に取り付けられる取付台座１４と、取付台座１４に取り付けられる電源端子台１５とを備える。
【００１３】
点灯装置ケース本体９、点灯装置ケースカバー１３、取付台座１４、電源端子台１５は、ネジ１６によって固定されている。
【００１４】
なお、点灯装置ケース本体９、点灯装置ケースカバー１３、取付台座１４、電源端子台１５の固定は、ネジ１６に限らず、係爪などによって係合させて固定してもよい。
【００１５】
また、点灯装置３は、点灯装置３を設置したときに、点灯装置ケース本体９を浮かす第１の脚部１７と第２の脚部１８を備えている。
【００１６】
また、点灯装置３は、直方体部１１の一端側（第１の脚部１７側）に電源端子台１５が配置され、突出部１２側（第２の脚部１８側）から灯具２とを接続する接続具４が引き出される。
【００１７】
接続具４は、内部に電線１９を有するとともに、灯具２と点灯装置３を機械的に接続している。
【００１８】
回路基板１０は、商用電源が供給され、電線１９を介して前記光源５に電力を供給する。
【００１９】
次に、照明器具を天井埋込穴へ取り付ける動作について、図４を用いて説明する。
【００２０】
図４（ａ）は、照明器具を天井材に取り付ける過程を示す断面図あり、図４（ｂ）は、照明器具を天井材に取り付けた状態を示す断面図である。
【００２１】
天井材２０は、天井材２０の裏側にある構造物２１と所定空間を保って備えられており、例えば、構造物２１からアンカー（図示しない。）などによって吊下げて天井材２０が取り付けられている。
【００２２】
また、天井材２０には、埋込型の照明器具１を取り付けるための天井埋込穴２２が開けられている。
【００２３】
また、天井材２０と構造物２１との空間部分には、電源線２３などが備えられている。
【００２４】
まず、天井埋込穴２２から電源線２３を引き出し、電源端子台１５に接続する。電源端子台１５に電源線２３を接続後、点灯装置３の電源端子台１５が取り付けられている面から、天井埋込穴２２に斜めに挿入していく。
【００２５】
点灯装置３を天井埋込穴２２に挿入していくと、次第に天井材２０に対する角度が浅くなり、略水平な状態で天井材２０の裏面２０ｂに設置される。その後、天井埋込穴２２に取付バネ７を挿入して、灯具２を押し上げ、灯具２の発光面が下方に臨むように、灯具２が天井埋込穴２２に取り付けられる。
【００２６】
なお、第１の脚部１７は、点灯装置３を挿入する挿入方向に対して先端部近傍に備え、第２の脚部１８は、点灯装置３を挿入する挿入方向に対して後方部分に備えている。
【００２７】
次に、天井材２０、構造物２１、点灯装置３との関係から、点灯装置３の形状（最大外形）について説明する。
【００２８】
図５は、点灯装置を天井埋込穴に挿入するときの模式図であり、図５（ａ）は、点灯装置を天井埋込穴に挿入したときの側断面図であり、図５（ｂ）は、点灯装置を天井埋込穴に挿入したときの天井材の裏面側からみた上視図である。
【００２９】
まず、点灯装置３の直方体部１１の長さについて説明する。
【００３０】
天井材２０、天井埋込穴２２及び点灯装置３のそれぞれの長さを、天井埋込穴２２の直径をＴ、天井材２０の厚さをＨａ、天井材２０の表面（以下、化粧面２０ａという。）と構造物２１までの距離をＨｄ、点灯装置３の高さをＨｏ、点灯装置３の幅をＷとする。
【００３１】
また、点灯装置３を回動させずに天井埋込穴２２に挿入して、点灯装置３が構造物２１に接触した状態のとき、天井材２０と点灯装置３の角度をθ、天井材２０の化粧面２０ａと点灯装置３の天面３ａが接触する点を点ａ、天井材２０の裏面２０ｂと点灯装置３の底面３ｂが接触する点を点ｏ、点ｏから天井材２０の厚さ方向に垂線を下ろし、天井材２０の化粧面２０ａと交差する点を点ｂ、点ｏから点灯装置３の高さ方向に垂線を下ろし、点灯装置３の天面３ａと交差する点を点ｃ、辺ａｂをｑ１、辺ａｏをｑ２、角ｏａｂをα、角ｃａｏをβとする。
【００３２】
点灯装置３の天面３ａと底面３ｂは平行で、天井材２０の化粧面２０ａと裏面２０ｂは平行であるとき、角ｃａｂは点灯装置３を挿入するときの角度θと同じであるので、角度θはθ＝α＋βとなる。
【００３３】
次に、角度αと角度βについて、それぞれ説明する。
まず、辺ａｂの長さｑ１について求めると、式１のように表される。
【００３４】
【数１】
0005592061.tif 000002
【００３５】
次に、三角形ａｂｏは、角ａｂｏが９０°であるので、辺ｂｏの長さはＨａとなる。また、辺ａｂは、式１で表されるｑ１であるから、ｑ２（辺ａｏ）及び角度α（角ｏａｂ）は、それぞれ式２、式３のように表される。
【００３６】
【数２】
0005592061.tif 000003
【００３７】
【数３】
0005592061.tif 000004
【００３８】
次に、三角形ａｃｏは、角ａｃｏが９０°であるので、辺ｏｃの長さはＨｏとなる。また、辺ａｏは、式２で表されるｑ２であるから、角度β（角ｃａｏ）は、式４のように表される。
【００３９】
【数４】
0005592061.tif 000005
【００４０】
したがって、上記式１〜式４より、点灯装置３を天井材２０に対して斜め方向にスライドさせて、天井埋込穴２２に挿入する場合の角度θは、式５のように表される。
【００４１】
【数５】
0005592061.tif 000006
【００４２】
したがって、点灯装置３を天井埋込穴２２に挿入する角度が、上記式５より求められる角度θのとき、天井材２０の裏面２０ｂに接触する点ｏから点灯装置３が挿入された部分の長さＬ１は最大となり、その長さＬ１は式６のように表される。
【００４３】
【数６】
0005592061.tif 000007
【００４４】
次に、天井材２０の裏面２０ｂに接触する点ｏから点灯装置が挿入されない部分の長さＬ２について、図６を用いて説明する。
【００４５】
図６は、点灯装置を天井埋込穴に挿入するときの模式図であり、図６（ａ）は、点灯装置を天井埋込穴に挿入したときの側断面図であり、図６（ｂ）は、点灯装置を天井埋込穴に挿入したときの天井材の裏面側からみた上視図である。
【００４６】
点灯装置３は、点灯装置３を天井材２０に対して斜め方向にスライドさせて天井埋込穴２２に挿入し、点灯装置３が構造物２１に接触した後は、点ｏを基点として回動する。
【００４７】
したがって、天井材２０の裏面２０ｂ（化粧面２０ａに対向する面）側に直方体部１１の頂点が接触（点ｄ）するとき、長さＬ２（線分ｄｃ）が最大となり、その長さＬ２は三角形ｏｄｃ（角ｏｃｄが９０°）の関係より式７のように示される。
【００４８】
【数７】
0005592061.tif 000008
【００４９】
したがって、点灯装置３の長さが最大となる長さＬは、Ｌ＝Ｌ１＋Ｌ２で求められ、点灯装置３の幅Ｗと点灯装置３の長さＬの値から、点灯装置３内に収納される回路基板１０の面積も求められる。
【００５０】
ここで、点灯装置３の幅Ｗであるが、灯具２の外周寸法によって天井埋込穴２２の大きさが決定されるため、この天井埋込穴２２の直径Ｔによって、点灯装置３の幅Ｗが決定される。この実施の形態においては、灯具２の直径が８０ｍｍ、天井埋込穴２２の直径が８５ｍｍとなっており、点灯装置３の幅Ｗは、８５ｍｍ未満に制限される。これらの条件と、天井材２０の厚さＨａを２５ｍｍ、点灯装置３の高さＨｏを２８ｍｍと設定するとき、点灯装置３の長さＬと、そのときの点灯装置３を挿入する際の角度θは、式１〜式７から求められ、これらを纏めると表１に示すようになる。
【００５１】
【表１】
0005592061.tif 000009
【００５２】
なお、表１に示す面積は、点灯装置３の幅Ｗと点灯装置３の長さＬから導き出したものであり、点灯装置ケース本体９、点灯装置ケースカバー１３を構成する材料の厚さ、点灯装置３内に回路基板１０を取り付ける際の点灯装置３のケース内壁と回路基板１０との間のスペースを考慮する必要があるため、実際の基板面積は表１に示す面積に対して小さくなる。
【００５３】
一方、点灯装置３内に収納される回路基板１０は、多くの電子部品が実装できるように点灯装置３のケース内の容積（面積）を可能な限り最大に近くすることが望まれ、また、点灯装置３のケース内の容積を大きくすることで、発熱する電子部品同士を離して配置することができるようになる。
【００５４】
したがって、点灯装置３の幅Ｗは、ケース内の容積（面積）が大きくできる６０．０ｍｍ〜７５．０ｍｍの間に設定するのが望ましく、特に６５．０ｍｍに設定するとよい。
【００５５】
なお、式５〜式７により求められる角度θ、長さＬ１、Ｌ２はそれぞれ最大値であるので、０よりも大きい値であれば、式５〜式７により求めた値よりも小さくてもよい。
【００５６】
次に、点灯装置３の突出部１２について、図７を用いて説明をする。
【００５７】
図７は、点灯装置の模式図であり、図７（ａ）は、点灯装置の側面図であり、図７（ｂ）は、点灯装置を天面側からみた上視図である。
【００５８】
点灯装置３を天井埋込穴２２に挿入する際、挿入方向の穴角に接触する部分（点ｏ）を軸にして、回動するように点灯装置３の端部が天井埋込穴２２の内壁に接触しながら、天井材２０の裏側に取り付けられていく。なお、点灯装置３を回動して天井埋込穴２２に挿入する際、軸である点ｏに若干ズレが生じるが、無視できるものとする。
【００５９】
この際、挿入方向に対して後方側には、点灯装置３を延長する余裕があり、この点に着目した。
【００６０】
点灯装置３の直方体部１１の上部角部（最も突出する先端部を点ｅという。）は、天井材２０の裏面２０ｂに当接するように埋め込み穴形状に曲線Ｒを描く。
【００６１】
また、接触する点ｏを基点に点灯装置３が回動するように、点灯装置３の下部方向に行くにしたがって曲面Ｕを描きながら広がっていき、点灯装置３の下面端部（最も突出する先端部を点ｆという。）が天井材２０の裏面２０ｂに当接するように、天井埋込穴２２形状に曲線Ｓを描いている。
【００６２】
なお、曲線Ｒと曲線Ｓは点Ｐを中心とした円弧（劣弧）であり、また、曲面Ｕは、断面を点ｏを中心とした円弧（劣弧）である。
【００６３】
このように、点灯装置３を樹脂などの成形品で形成する場合は、突出部１２の一端部分を天井埋込穴２２の形状に合わせて曲線Ｒ、Ｓを描くとともに、回動方向に曲面Ｕを形成するのが最も望ましい。
【００６４】
しかしながら、板材などを用いて点灯装置ケースカバー１３などを加工する場合、曲線Ｒ、Ｓを描くとともに曲面Ｕの形状に加工するのは、技術的に難易度が高く、また、コストがかかる。
【００６５】
したがって、コスト的に有利な多面体によって形成された点灯装置３の突出部１２の形状について、図８を用いて説明する。
【００６６】
図８は、点灯装置の模式図であり、図８（ａ）は、点灯装置の側面図であり、図８（ｂ）は、点灯装置を天面側からみた上視図である。
【００６７】
まず、点灯装置３の幅方向に対する傾斜側面２５について説明する。
【００６８】
点灯装置３の幅方向中央かつ天面３ａから延長された先端部（点ｅ）から点灯装置３の幅方向に平行となるように線ｅｇを延ばす。さらに、線分ｅｇと点灯装置３の底面３ｂを延長した端部（点ｇ）とを結ぶ点と、点灯装置３の直方体部１１の角部（点ｄ）とを結ぶ（線分ｄｇ）。このときの点灯装置３の幅方向に対する線分ｄｇの角度σを求める。
【００６９】
まず、突出部の長さである点Ｐから線分ｄ−ｄまでの垂線の長さＬ３は、式８のようになる。
【００７０】
【数８】
0005592061.tif 000010
【００７１】
次に、図８（ｂ）に示される曲線Ｒ（円弧）の中心を中心点Ｐとしたとき、曲線Ｒの半径Ｌ４は、式９に示される。
【００７２】
【数９】
0005592061.tif 000011
【００７３】
次に、図８（ｂ）に示される曲線Ｓ（円弧）の中心を中心点Ｐ、曲面Ｓを延長して円を描くときの直径をＴとするとき、点ｅから点ｇの長さＷ２は、式１０に示される。
【００７４】
【数１０】
0005592061.tif 000012
【００７５】
また、点ｄから点ｄまでの点灯装置３の幅方向に対して水平方向成分の長さＷ３は、式１１に示される。
【００７６】
【数１１】
0005592061.tif 000013
【００７７】
したがって、点灯装置３の幅方向に対する線分ｄｇの角度σは、式１２によって示される。
【００７８】
【数１２】
0005592061.tif 000014
【００７９】
このようにして求めた線分ｄｇ、線分ｅｇ（線分ｇｇ）で折り曲げて突出部１２の傾斜側面２５を形成するとき、点灯装置３の突出部１２の幅Ｗ２、傾斜側面２５の角度σを纏めると表２のようになる。なお、点灯装置３の突出部１２の幅Ｗ２は、点灯装置３の中央から点ｇまでの線分ｅｇの長さ（線分ｇｇの半分の長さ）を示している。
【００８０】
【表２】
0005592061.tif 000015
【００８１】
また、本実施の形態の突出部１２を備える点灯装置３と、突出部１２を備えない点灯装置３と比較して、点灯装置３を天井埋込穴２２に挿入するときの作業性は突出部１２を備えていても劣ることがない。
【００８２】
なお、式１２により求められる角度σは最大値であり、０よりも大きい値であれば、式１２で求めた値よりも小さい値であってもよい。
【００８３】
このように、点灯装置３の突出部１２の傾斜側面２５の形状について説明した。
【００８４】
次に、点灯装置３の高さ方向に対する傾斜天面２４について説明する。
【００８５】
図９は、点灯装置の模式図であり、図９（ａ）は、点灯装置の側面図であり、図９（ｂ）は、点灯装置を天面側からみた上視図であり、図９（ｃ）は、図９（ｂ）のＡ方向から点灯装置の端部を見たときのＡ方向矢視図である。
【００８６】
点灯装置３の端部は、線分ｇｇから鉛直方向に立ち上がるように側端面２６を形成し、線分ｇｇを軸とした楕円形（一方の点ｇから点ｅを経由して他方の点ｇまで略楕円の軌跡を描いた半楕円形）となっている。
【００８７】
突出部１２の傾斜側面２５を形成する角度σｘが、式１２で求められるσよりも小さくなると、角度σｘに曲げられた傾斜側面２５と、楕円形の交点（点ｅｘ）が、点灯装置からの高さＨｘが高くなる。また、傾斜天面２４をこの点ｅｘまで傾斜させている。
【００８８】
なお、突出部１２の長さである点ｄ〜点ｅまでの水平方向の長さＬ５は、式１３のようになる。
【００８９】
【数１３】
0005592061.tif 000016
【００９０】
次に、傾斜側面２５の角度をσｘとするとき、点ｅから点ｇｘまでの長さＷ２ｘ、及び、点ｇｘから点灯装置３の側面までの長さＷ３ｘは、それぞれ式１４、式１５のように示される。
【００９１】
【数１４】
0005592061.tif 000017
【００９２】
【数１５】
0005592061.tif 000018
【００９３】
さらに、傾斜側面２５を角度σｘとしたとき、点ｇｘ−点ｇｘ端面の形状（Ａ方向から矢視した形状）は楕円形の軌跡を描いているので、式１６のように示される。
【００９４】
【数１６】
0005592061.tif 000019
【００９５】
したがって、傾斜側面２５を角度σｘとしたとき、側端面２６の高さ（点ｅｘから点ｇｘの長さ）Ｈｘは、式１７に示すようになる。
【００９６】
【数１７】
0005592061.tif 000020
【００９７】
次に、傾斜天面２４を点ｄと点Ｈｘを結ぶ傾斜とするとき、角度γｘは、式１８に示すようになる。
【００９８】
【数１８】
0005592061.tif 000021
【００９９】
したがって、上記式１３〜式１８から、角度σｘ、γｘ、長さＷ２ｘ、Ｗ３ｘ、Ｌ５、高さＨｘを纏めると、表３のようになる。なお、点灯装置３の幅Ｗは、表１で算出した回路基板１０の面積が最大となる６５ｍｍとし、その他の条件は、表１と同様に天井埋込穴２２の直径Ｔを８５ｍｍ、点灯装置３の高さＨｏを２８ｍｍとした。また、表１で示す直方体部１１と同様な方法で算出した点灯装置１０の突出部１２の底面の面積も示す。
【０１００】
ここで、式１２で求めたσは、曲線Ｓ上の点ｇと点ｄを結ぶときの角度であるので、この角度σが最大となる。したがって、σｘの範囲は、このσよりも小さく、また長さＷ２ｘが０となるまでの角度となる。
【０１０１】
【表３】
0005592061.tif 000022
【０１０２】
ここで、回路基板１０は、基板の厚さが２ｍｍであり、電子部品の高さ（例えば、高さの低い電子部品である接続端子、集積回路など）が１０ｍｍ程度である。また、回路基板１０の回路パターン面とケース内壁との距離（電気的な絶縁距離を得るための距離）が５ｍｍ程度必要とされる。このように、これらを考慮して点灯装置３の内部の形状は決定され、突出部１２の最小となる高さも決定される。したがって、点灯装置３の最小高さＨｘは、約１８ｍｍ程度が好ましく、このとき、表３によるとγｘは６３°となる。
【０１０３】
なお、表３の条件では突出部の長さＬ５を１８．３ｍｍとしたが、点灯装置３を天井埋込穴２２に挿入する作業性について実験を重ねると、表３に示される角度σｘを４５°、点灯装置３の端部の最小高さＨｘを１８．７ｍｍに設定し、さらに、表３に示される突出部１２の長さＬ５の値よりも短い９．５ｍｍとするとき、作業性が最もよくなるとともに、回路基板１０の面積を大きくできることが分かった。なお、このとき、式１８より算出する角度γｘはほぼ４５°となる。
【０１０４】
従って、上記式１〜式１８によって求められる最大外形に対して、点灯装置３の外形を小さくすることで天井埋込穴２２との幅が取れるので、点灯装置３を天井埋込穴２２に挿入しやすくなるとともに、点灯装置３の外形の加工がし易い形状とすることができる。
【０１０５】
また、図１〜図４で示す点灯装置３には、第１の脚部１７、第２の脚部１８を図示しているが、図５〜図９では、説明上、点灯装置３から第１の脚部１７、第２の脚部１８を省略して図示している。次に、この第１の脚部１７、第２の脚部１８について説明する。
【０１０６】
この第１の脚部１７は、点灯装置３を天井埋込穴２２に挿入して、点灯装置３が構造物２１に接し、点灯装置３の底面３ｂの点ｏに天井材２０の裏面２０ｂ側が接するまで、作業性に影響を与えることがなく、点灯装置３の傾きを変更することができる。
【０１０７】
また、点灯装置３が構造物２１に接し、かつ点灯装置３の底面３ｂが接触する点ｏに天井材２０の裏面２０ｂが接したときは、点灯装置３と天井材２０の角度はθに制限され、以降点ｏを基点として点灯装置３を回動させる。点灯装置３を回動していくと、次第に第２の脚部１８は天井材２０の裏面２０ｂ側の位置まで移動し、第２の脚部１８が天井材２０の裏面２０ｂ側まで来たときに、点灯装置３を天井材２０に対して平行方向にスライドさせて、点灯装置３を天井材２０の裏面２０ｂ側に配置する。このとき、第１の脚部１７と第２の脚部１８が天井材２０の裏面２０ｂに接触する。
【０１０８】
したがって、第２の脚部１８は、点灯装置３を天井埋込穴２２に挿入して天井裏に設置するまで、作業性に影響を与えることがない。
【０１０９】
このように、点灯装置３を挿入する挿入方向の先端部近傍に第１の脚部１７、点ｏよりも後方部分に第２の脚部１８を備えても、点灯装置の高さの低い部分が点ｏとなって回動して点灯装置３を天井埋込穴２２に挿入するので、この第１の脚部１７、第２の脚部１８によって、天井材３と構造物２１との空間距離に影響を与えることがない。
【０１１０】
また、この第１の脚部１７、第２の脚部１８によって、点灯装置３の底面３ｂを浮かせることができるので、点灯装置３の底面３ｂと天井材２０の裏面２０ｂとの間に空気層を持たせることができる。
【０１１１】
つまり、回路基板１０が動作することによって発熱する熱が天井材２０に伝わるのを抑制することができ、また、回路基板１０の放熱性を向上させることができる。
【０１１２】
なお、本実施の形態では、第１の脚部１７、第２の脚部１８を備える場合について説明したが、例えば回路基板１０の発熱が少なく、点灯装置３の底面３ｂを天井材２０の裏面２０ｂと接触してもよいとき、放熱性を有する天井材２０に設置するときなどは、第１の脚部１７、第２の脚部１８を備える必要はない。
【０１１３】
このとき、点灯装置３の底面３ｂが天井材２０の裏面２０ｂと面接触するので、より安定性が高い状態で点灯装置３を設置することができる。
【０１１４】
また、本実施の形態では、天井埋込穴２２に点灯装置３を挿入した際、点灯装置３が天井裏の構造物２１に接触する場合について説明したが、点灯装置３の長さが短いものであってもよい。
【０１１５】
この場合、点灯装置３の長さをＬ６としたとき、点灯装置３を挿入した際の最小角度ηは、次のようになる。
【０１１６】
0005592061.tif 000023
【０１１７】
したがって、点灯装置３の挿入時の最小角度が変わる（この場合、角度ηは角度θよりも小さくなる。）ので、突出部１２の形状（最大外郭）を変えることができる。
【０１１８】
このように、本実施の形態では、点灯装置３の最大外郭形状（点灯装置３の幅Ｗ、長さＬ、傾斜天面の角度γ、傾斜側面の角度σ）について説明したが、最大外形形状内であれば、点灯装置３の幅、長さ、傾斜部の角度などを小さくしてもよいことは明らかである。
【０１１９】
また、点灯装置３を天井埋込穴２２に挿入する挿入方向の先端近傍に電源端子台１５を備えたので、点灯装置３を天井埋込穴２２に挿入する際、天井埋込穴２２と点灯装置３の側面との間に電源線２３が挟み込まれることがなく、点灯装置３の幅を大きくすることができる。
【図面の簡単な説明】
【０１２０】
【図１】実施の形態１における照明器具を示す斜視図である。
【図２】実施の形態１における照明器具を示す分解斜視図である。
【図３】実施の形態１における点灯装置の側面図を示す図である。
【図４】実施の形態１における照明器具の取付動作を示す図である。
【図５】実施の形態１における点灯装置の模式図である。
【図６】実施の形態１における点灯装置の模式図である。
【図７】実施の形態１における点灯装置の模式図である。
【図８】実施の形態１における点灯装置の模式図である。
【図９】実施の形態１における点灯装置の模式図である。
【符号の説明】
【０１２１】
１  照明器具、２  灯具、３  点灯装置、３ａ  化粧面、３ｂ  裏面、４  接続具、５  光源、６  灯具本体、７  取付バネ、８  放熱フィン、９  点灯装置ケース本体、１０  回路基板、１１  直方体部、１２  突出部、１３  点灯装置ケースカバー、１４  取付台座、１５  電源端子台、１６  ネジ、１７  第１の脚部、１８  第２の脚部、１９  電線、２０  天井材、２０ａ  天面、２０ｂ  底面、２１  構造物、２２  天井埋込穴、２３  電源線、２４  傾斜天面、２５  傾斜側面、２６  側端面。
【図１】
0005592061.tif 000024
【図２】
0005592061.tif 000025
【図３】
0005592061.tif 000026
【図４】
0005592061.tif 000027
【図５】
0005592061.tif 000028
【図６】
0005592061.tif 000029
【図７】
0005592061.tif 000030
【図８】
0005592061.tif 000031
【図９】
0005592061.tif 000032